(57)【要約】  映像信号に基づいて変調された光を投写する投写型表示装置であって、光源１２と、光源１２を冷却するための第１のファン２０と、第１のファン２０とは異なる第２のファン２１とを有し、第１のファン２０の回転数は、光源１２の出力の増減に伴って増減され、第２のファン２１の回転数は、第１のファン２０の回転数が増加すると減少され、第１のファン２０の回転数が減少すると増加される。
2011064832.tif 000002
【特許請求の範囲】
【請求項１】
映像信号に基づいて変調された光を投写する投写型表示装置であって、
光源と、前記光源を冷却するための第１のファンと、前記第１のファンとは異なる第２のファンとを有し、
前記第１のファンの回転数は、前記光源の出力の増減に伴って増減され、
前記第２のファンの回転数は、前記第１のファンの回転数が増加すると減少され、前記第１のファンの回転数が減少すると増加される投写型表示装置。
【請求項２】
映像信号に基づいて変調された光を投写する投写型表示装置であって、
光源と、前記光源を冷却するための第１のファンと、前記第１のファンとは異なる第２のファンと、前記第１のファン及び前記第２のファンとは異なる第３のファンとを有し、
前記第１のファンの回転数は、前記光源の出力の増減に伴って増減され、
前記第３のファンの回転数は、前記第１のファンの回転数が増加すると減少され、前記第１のファンの回転数が減少すると増加され、
前記第２のファンの回転数は、常に一定に保たれる投写型表示装置。
【請求項３】
映像信号に基づいて変調された光を投写する投写型表示装置であって、
光源と、前記光源を冷却するための第１のファンと、前記第１のファンとは異なる第２のファンと、前記第１のファン及び前記第２のファンとは異なる第３のファンとを有し、
前記第１のファンの回転数は、前記光源の出力の増減に伴って増減され、
前記第２のファンの回転数及び前記第３のファンの回転数は、前記第１のファンの回転数が増加すると減少され、前記第１のファンの回転数が減少すると増加される投写型表示装置。
【請求項４】
前記第２のファンが筺体内の空気を筺体外に排出するためのファンであり、
前記第３のファンが電源ユニットを冷却するためのファンである請求項２又は請求項３に記載の投写型表示装置。
【請求項５】
前記映像信号に基づいて前記光源の調光レベルを算出する調光レベル算出部を有し、前記光源の出力は、前記調光レベル算出部により算出された調光レベルに基づいて増減される請求項１乃至請求項４のいずれかに記載の投写型表示装置。
【請求項６】
前記調光レベル算出部により算出される複数の調光レベルと、前記光源の出力、前記第１のファンの回転数及び前記第２のファンの回転数との関係を示すデータが記憶された記憶部と、
前記データに基づいて前記光源の出力を制御する光源制御部と、
前記データに基づいて前記第１のファンの回転数を制御する第１のファン制御部と、
前記データに基づいて前記第２のファンの回転数を制御する第２のファン制御部と、を有する請求項５に記載の投写型表示装置。
【請求項７】
前記データに基づいて前記第３のファンの回転数を制御する第３のファン制御部を有する請求項５に記載の投写型表示装置。
【請求項８】
前記第１のファンがシロッコファンであり、前記第２のファンが軸流ファンである請求項１乃至請求項７のいずれかに記載の投写型表示装置。
【請求項９】
前記第１のファンがシロッコファンであり、前記第３のファンが前記第１のファンと同一形式・同一サイズのシロッコファンである請求項２乃至請求項８のいずれかに記載の投写型表示装置。
【発明の詳細な説明】
【技術分野】
【０００１】
本発明は、光源を冷却するための冷却ファンを備えた投写型表示装置に関するものである。
【背景技術】
【０００２】
投写型表示装置の光源には、超高圧水銀ランプやメタルハライドランプなどの放電ランプが用いられている。放電ランプの温度は、点灯中に非常に高温となる。特に、発光管の温度が所定温度以上になると、放電ランプの寿命が短くなったり、フリッカを起こしたりする。よって、放電ランプ（発光管）の温度を所定範囲内に維持するために、放電ランプを冷却する必要がある。【０００３】
放電ランプの冷却方式の一つとして、冷却ファンを用いた空冷方式が知られている。一般的な空冷方式では、放電ランプの出力の増減に応じて冷却ファンの回転数が制御される。具体的には、放電ランプの出力が増加すると、冷却ファンの回転数が増加され、放電ランプの出力が低下すると、冷却ファンの回転数が減少される。より詳細な冷却ファンの回転数制御方法が特許文献１、２に開示されている。【０００４】
特許文献１には、光源の電源とファンの回転数が温度センサまたは光量センサの検出結果に応じて制御される液晶表示装置が記載されている。この液晶表示装置では、ランプの温度または発光量がセンサによって検出され、マイクロコンピュータにフィードバックされる。マイクロコンピュータは、フィードバックされた情報に基づいてファンの回転数を増減させる。【０００５】
特許文献２には、光源への供給電力が増大されると冷却ファンへの供給電力も増大され、光源への供給電力が低減されると冷却ファンへの供給電力も低減される投写型表示装置が記載されている。
【先行技術文献】
【特許文献】
【０００６】
【特許文献１】特開２０００−３５２７０８号公報
【特許文献１】特開２００５−１２１９２７号公報
【発明の概要】
【発明が解決しようとする課題】
【０００７】
特許文献１に記載されている液晶表示装置では、ランプ発光量の変化に応じてファンの回転数が変化する。したがって、ランプ発光量の変化が大きい場合、単位時間当たりのファンの回転数変化量が大きくなり、ユーザーとって耳障りな騒音が発生する。また、ランプ発光量の変化が小さい場合でもその変化速度が速い場合には、同じくユーザーにとって耳障りな騒音が発生する。【０００８】
特許文献２は、上記のような耳障りな騒音の発生を抑制する手段として次の２つを開示している。１つは、光源へ供給される電力の平均値に基づいた冷却ファンへの供給電力の制御である。他の１つは、冷却ファンへ供給される電力の所定時間内の変化量に対する上限の設定である。しかし、上記２つの手段によると、光源への供給電力の変化に対して冷却ファンへの供給電極の変化が遅れて追従するので、光源（ランプ）の温度を一定に維持することが困難となる。【０００９】
要するに、ランプ温度を一定に維持するために、ランプの出力変化に対するファンの回転数変化の応答速度を速くすると、耳障りな騒音が発生する。一方、騒音の発生を抑制するために、ランプの出力変化に対するファンの回転数変化の応答速度を遅くすると、ランプ温度を一定に維持することが困難となる。
【課題を解決するための手段】
【００１０】
光源を冷却するための第１のファンの回転数が増加すると、第２のファンの回転数が減少され、第１のファンの回転数が減少すると、第２のファンの回転数が増加される。結果、第１のファンの騒音の増減と第２のファンの騒音の増減とが相殺され、装置全体の騒音がほぼ一定に保たれる。
【発明の効果】
【００１１】
本発明によれば、光源を冷却するためのファンの回転数を光源の出力変化に応じて高速で変化させても、装置全体の騒音がほぼ一定に保たれる。
【図面の簡単な説明】
【００１２】
【図１】図１は、第１の実施形態に係る投写型表示装置の斜視図である。
【図２】図２は、図１に示す投写型表示装置の分解斜視図である。
【図３】図３は、図１に示すランプ及び光学エンジンの拡大斜視図である。
【図４】図４は、図１に示すランプユニット及びその周辺の拡大斜視図である。
【図５】図５は、図１に示す投写型表示装置の制御ブロック図である。
【図６Ａ】図６Ａは、図５に示す記憶部に記憶されているデータテーブルの一例を示している。
【図６Ｂ】図６Ｂは、ランプ出力、ランプファンの回転数及び騒音、排気ファンの回転数及び騒音、及び装置騒音の相互関係の一例を示している。
【図７】図７は、ランプ出力に対する各ファンの騒音と装置騒音の関係の一例を示している。
【図８】図８は、調光動作中のランプ出力の変化に対する各ファンの騒音と装置騒音の一例を示している
【図９】図９は、従来のファン制御の結果の一例を示している。
【図１０】図１０は、第２の実施形態に係る投写型表示装置の制御ブロック図を示す
【図１１Ａ】図１１Ａは、図１０に示す記憶部に記憶されているデータテーブルの一例を示している。
【図１１Ｂ】図１１Ｂは、ランプ出力、ランプファンの回転数及び騒音、排気ファンの回転数及び騒音、電源ファンの回転数及び騒音、及び装置騒音の相互関係の一例を示している。
【図１２】図１２は、ランプ出力に対する各ファンの騒音と装置騒音の関係の一例を示している。
【図１３】図１３は、調光動作中のランプ出力の変化に対する各ファンの騒音と装置騒音の一例を示している。
【図１４】図１４は、従来のファン制御の結果の一例を示している。
【図１５Ａ】図１５Ａは、図１０に示す記憶部に記憶されているデータテーブルの一例を示している。
【図１５Ｂ】図１５Ｂは、ランプ出力、ランプファンの回転数及び騒音、排気ファンの回転数及び騒音、電源ファンの回転数及び騒音、及び装置騒音の相互関係の一例を示している。
【図１６】図１６は、ランプ出力に対する各ファンの騒音と装置騒音の関係の一例を示している。
【図１７】図１７は、調光動作中のランプ出力の変化に対する各ファンの騒音と装置騒音の一例を示している。
【発明を実施するための形態】
【第１の実施形態】
【００１３】
図１は、本発明の投写型表示装置の外観を示す斜視図である。本実施形態に係る投写型表示装置１は、底部筺体２、上部筺体３及びランプ蓋４からなる筺体５を有する。上部筺体３の表面には、複数のコントロールボタン６が設けられている。上部筺体３の左側面には、筺体内部に外気を導入するための３つの吸気口７ａ〜７ｃが設けられており、上部筺体３の正面には、筺体内部の空気を外部へ排気するための排気口８が設けられている。
【００１４】
図２は、投写型表示装置１の分解斜視図である。図２では、上部筺体３及びメイン基板９が取り外されている。外部から供給された電力の一部は、電源ユニット１０を介してランプユニット１１に供給される。また、外部から供給された電力の他の一部は、電源ユニット１０を介してメイン基板９に供給される。ユーザーが電源ボタンを押すと投写型表示装置１が起動され、ランプユニット１１内のランプ１２が点灯する。ランプ１２から発せられた光は、光学エンジン１３を通ってDMD（Digital  Micro-mirror  Device）ユニット１４へ導かれる。DMDユニット１４に導かれた光は、DMDユニット１４内の複数の光学部品を介して不図示のDMDに照射される。DMDは、入射した光を映像信号に基づいて変調し、画像光を形成する。形成された画像光は、投写レンズ１５を介して不図示のスクリーンなどに投写される。
【００１５】
上記一連の動作において、筺体５内の電子部品や光学部品の温度は、自己発熱や給熱によって上昇する。特に、ランプ１２の発光管の温度は非常に高温となる。そこで、ランプ１２を冷却するための専用のファン（ランプファン２０）が設けられている。また、ランプ１２以外の電子部品や光学部品を冷却するために、筺体５の中央付近には不図示の軸流ファン（排気ファン２１）が設けられている。排気ファン２１は、筺体５内の空気（熱）を外部に排出することによって電子部品や光学部品を冷却する。
【００１６】
図３に、ランプ１２及び光学エンジン１３の拡大斜視図を示す。ランプ１２から出射された光は、モータにより回転駆動されるカラーホイールを備えたカラーホイールユニット２２を通過する。カラーホイールユニット２２を通過した光は、２枚のコンデンサレンズを備えたレンズユニット２３を通過する。レンズユニット２３を通過した光は、不図示のミラーによって反射される。ミラーによって反射された光は、不図示の第３のコンデンサレンズを介してDMD基板２４に実装されているDMD（不図示）に照射される。DMDは、メイン基板９（図２）から出力される映像信号に基づいて駆動され、画像光を形成する。DMDによって形成された画像光は、投写レンズ１５を介してスクリーンなどヘ投写される。
【００１７】
図４に、ランプユニット１１、ランプファン２０及び排気ファン２１の拡大図を示す。図４では、ランプ１２の発光管１２ａを図示するために、ランプユニット１１の手前側が切断されている。ランプ１２は、超高圧水銀ランプと呼ばれる放電ランプである。ランプ１２は、発光管１２ａと、対向する一対の電極と、リフレクタ１２ｂとを少なくとも備えている。対向する電極の一方は、リフレクタ１２ｂにより支持されている。発光管１２ａの中央に位置する球状部から光が放出され、放出された光はリフレクタ１２ｂによって反射される。リフレクタ１２ｂによって反射された光は、カバーガラス２５を通過して光学エンジン１３（図３）に入射する。このとき、発光管１２ａは非常に高温となるため、発光管１２ａは、ランプファン２０よって空冷される。具体的には、ランプ１２の斜め前方に配置されているランプファン２０からランプ１２に冷却風を送る。一方、リフレクタ１２ｂの背後には排気ファン２１が配置されている。排気ファン２１は、ランプユニット１１内の空気を吸引することによって、ランプユニット１１内の温度上昇を抑制する。また、排気ファン２１は、ランプユニット１１内の空気のみでなく、筺体５（図１）の内部の空気を筐体５の外部へ排出する役割も果たしている。もっとも、排気ファン２１はリフレクタ１２ｂの背後に配置されているので、排気ファン２１の回転数を増減させても発光管１２ｂの温度はほとんど変化しない。
【００１８】
図５に、投写型表示装置１の制御ブロック図を示す。メイン基板９には、中央制御部３０、映像信号生成部３１、DMD制御部３２、調光レベル算出部３３、ランプファン制御部３４、排気ファン制御部３５及び記憶部３６が設けられている。また、電源ユニット１０内にはランプ制御部３７が設けられている。
【００１９】
DMD制御部３２は、映像信号生成部３１で生成された映像信号に基づいてDMD３８を制御する。
【００２０】
調光レベル算出部３３は、映像信号生成部３１で生成された映像信号を参照して調光レベルを算出する。中央制御部３０は、投写型表示装置１を統括的に制御しており、調光レベル算出部３３によって算出された調光レベルに基づいて、少なくともランプファン制御部３４、排気ファン制御部３５及びランプ制御部３７を制御する。
【００２１】
記憶部３６には、図６Ａに示すデータテーブルが記憶されている。すなわち、１１段階の調光レベル(L01〜L11)にそれぞれ対応するランプ出力、ランプファン回転数及び排気ファン回転数を示すデータテーブルが記憶されている。中央制御部３０は、算出された調光レベルに基づいてデータテーブルを参照し、参照結果に基づいてランプファン制御部３４、排気ファン制御部３５及びランプ制御部３７にそれぞれコマンドを出力する。各制御部は、入力されたコマンドに応じて制御対象を制御する。換言すれば、中央制御部３０とランプ制御部３７によって、ランプ出力を制御する光源制御部が構成されている。また、中央制御部３０とランプファン制御部３４によって、ランプファン２０の回転数を制御する第１のファン制御部が構成されている。さらに、中央制御部３０と排気ファン制御部３５によって、排気ファン２１の回転数を制御する第２のファン制御部が構成されている。
【００２２】
各制御部による制御について具体例を挙げて説明する。例えば、算出された調光レベルがL01の場合、ランプ制御部３７は、中央制御部３０の指令に従って、ランプ出力が180Wとなるように電源ユニット１０内のバラスト電源（不図示）を制御する。ランプファン制御部３４は、中央制御部３０の指令に従って、ランプファン２０の回転数を5400rpmに維持する。排気ファン制御部３５は、中央制御部３０の指令に従って、排気ファン２１の回転数を2300rpmに維持する。
【００２３】
また、算出された調光レベルがL11の場合、ランプ制御部３７は、中央制御部３０の指令に従って、ランプ出力が160Wとなるように上記バラスト電源を制御する。ランプファン制御部３４は、中央制御部３０の指令に従って、ランプファン２０の回転数を4500rpmに維持する。排気ファン制御部３５は、中央制御部３０の指令に従って、排気ファン２１の回転数を2485rpmに維持する。
【００２４】
図６Ｂに、調光レベル毎のランプ出力、ランプファン２０の回転数及び騒音、排気ファン２１の回転数及び騒音、及び装置全体の騒音（装置騒音）を示す。なお、装置騒音は、装置の後方１ｍの位置で測定された騒音である。上記のように、調光レベルに応じて、ランプ出力、ランプファン２０の回転数及び排気ファン２１の回転数は変化するが、装置騒音は一定に保たれる。
【００２５】
図７に示すグラフは、ランプ出力に対する各ファンの騒音と装置騒音との関係を示している。図５に示すランプファン２０の回転数はランプ出力の増加に伴って増加するので（図６）、ランプ出力が増加すると、ランプファン２０の騒音も増加する。一方、図５に示す排気ファン２１の回転数はランプ出力の増加に伴って減少するので（図６）、ランプ出力が増加すると排気ファン２１の騒音は減少する。この結果、ランプ出力が増減しても装置騒音は一定(33.8dB(A))に保たれる。換言すれば、ランプファン２０の騒音の増加と排気ファン２１の騒音の減少とが相殺される。このように、ランプ１２（発光管１２ａ（図４））の温度を一定に保つために、ランプ出力の増加に伴ってランプファン２０の回転数を増加させても、装置騒音が一定に保たれる。なお、ランプ１２（発光管１２ａ）の温度は、排気ファン２１の回転数の増減にほとんど影響されないことは既述の通りである。よって、ランプ出力の増加に伴って排気ファン２１の回転数を減少させても、ランプ１２（発光管１２ａ）の温度はほぼ一定に保たれる。
【００２６】
図８に示すグラフは、調光動作中のランプ出力の変化に対する各ファンの騒音と装置騒音を示している。グラフの横軸は経過時間を示しており、２秒ごとに調光レベルが更新されている。ランプ出力の増減に合わせてランプファン２０（図５）の回転数が増減し、排気ファン２１（図５）の回転数が減増している。換言すれば、ランプファン２０の回転数が増加すると、排気ファン２１の回転数が減少し、ランプファン２０の回転数が減少すると、排気ファン２１の回転数が増加し、装置騒音は一定に保たれている。
【００２７】
図９に示すグラフは、従来のファン制御の結果を示している。従来のファン制御の下で調光動作が２秒おきに実施された場合、装置騒音が最大で1.4dB変化する。一方、上記のように、本発明のファン制御の下では装置騒音が一定に保たれる。さらに、調光動作の実施間隔より短くしても装置騒音が一定に保たれる。ファンの回転数はフィードバック制御される。具体的には、ファンから返されるパルス信号に基づいてファンへ印加する電圧が変更される。図４などに示すランプファン２０と排気ファン２１は形式やサイズが異なるため、印加電圧に対する回転数変化の応答性が異なる。よって、調光動作の実施間隔を際限なく短くすることはできない。しかし、本実施形態に係る投写型表示装置１では、調光動作の実施間隔を１．５秒前後にした場合であっても装置騒音はほぼ一定に保たれる。  
【第２の実施形態】
【００２８】
本実施形態に係る投写型表示装置の基本構成は、第１の実施形態に係る投写型表示装置と共通である。本実施形態に係る投写型表示装置は、電源ユニットを冷却するための第２のシロッコファン（電源ファン）を備えている。電源ファンは、図４などに示すランプファン２０と同一形式、同一サイズのシロッコファンである。
【００２９】
図１０に、本実施形態に係る投写型表示装置の制御ブロック図を示す。図示されているメイン基板９、電源ユニット１０及び光学エンジン１３は、それぞれ図５に示されている同一名称の各部と実質的に同一である。また、図１０に示されている中央制御部３０、映像信号生成部３１、DMD制御部３２、調光レベル算出部３３、ランプファン制御部３４、排気ファン制御部３５、記憶部３６及びランプ制御部３７は、図５に示されている同一名称の各部と実質的に同一である。さらに、図１０に示されているランプファン１２及び排気ファン２１は、図５に示されているランプファン１２及び排気ファン２１と同一である。
【００３０】
ただし、本実施形態に係る投写型表示装置は、メイン基板９上に設けられた電源ファン制御部３８と、電源ファン制御部３８によって制御される電源ファン３９とを備えている。電源ファン制御部３８は、中央制御部３０から出力されるコマンドに従って電源ファン３９の回転数を制御する。すなわち、中央制御部３０と電源ファン制御部３８によって、電源ファン３９の回転数を制御する第３のファン制御部が構成されている。
【００３１】
図１０に示す記憶部３６には、図１１Ａに示すデータテーブルが記憶されている。すなわち、１１段階の調光レベル(L01〜L11)にそれぞれ対応するランプ出力、ランプファン回転数、排気ファン回転数及び電源ファン回転数を示すデータテーブルが記憶されている。中央制御部３０は、算出された調光レベルに基づいてデータテーブルを参照し、参照結果に基づいてランプファン制御部３４、排気ファン制御部３５、電源ファン制御部３８及びランプ制御部３７にそれぞれコマンドを出力する。各制御部は、入力されたコマンドに応じて制御対象を制御する。
【００３２】
各制御部による制御について具体例を挙げて説明する。例えば、算出された調光レベルがL01の場合、ランプ制御部３７は、中央制御部３０の指令に従って、ランプ出力が180Wとなるように電源ユニット１０内のバラスト電源（不図示）を制御する。ランプファン制御部３４は、中央制御部３０の指令に従って、ランプファン２０の回転数を5400rpmに維持する。排気ファン制御部３５は、中央制御部３０の指令に従って、排気ファン２１の回転数を2300rpmに維持する。電源ファン制御部３８は、中央制御部３０の指令に従って、電源ファン３９の回転数を4800rpmに維持する。
【００３３】
また、算出された調光レベルがL11の場合、ランプ制御部３７は、中央制御部３０の指令に従って、ランプ出力が160Wとなるように上記バラスト電源を制御する。ランプファン制御部３４は、中央制御部３０の指令に従って、ランプファン２０の回転数を4500rpmに維持する。排気ファン制御部３５は、中央制御部３０の指令に従って、排気ファン２１の回転数を2485rpmに維持する。電源ファン制御部３８は、中央制御部３０の指令に従って、電源ファン３９の回転数を5534rpmに維持する。
【００３４】
図１１Ｂに、調光レベル毎のランプ出力、ランプファン２０の回転数及び騒音、排気ファン２１の回転数及び騒音、電源ファン３９の回転数及び騒音、及び装置全体の騒音（装置騒音）を示す。なお、装置騒音は、装置の後方１ｍの位置で測定された騒音である。上記のように、調光レベルに応じて、ランプ出力、ランプファン２０の回転数及び電源ファン３９の回転数は変化するが、排気ファン２１の回転数及び装置騒音は一定に保たれる。
【００３５】
図１２に示すグラフは、ランプ出力に対する各ファンの騒音と装置騒音の関係を示している。図１０に示すランプファン２０の回転数はランプ出力の増加に伴って増加するので（図１１）、ランプ出力が増加すると、ランプファン２０の騒音も増加する。一方、図１０に示す電源ファン３９の回転数はランプ出力の増加に伴って減少するので（図１１）、ランプ出力が増加すると電源ファン３９の騒音は減少する。また、排気ファン２１の回転数は、ランプ出力が増減しても一定に保たれる。この結果、ランプ出力が増減しても装置騒音は一定(34.7dB(A))に保たれる。換言すれば、ランプファン２０の騒音の増加と電源ファン３９の騒音の減少とが相殺される。このように、ランプ１２（発光管１２ａ（図４））の温度を一定に保つために、ランプ出力の増加に伴ってランプファン２０の回転数を増加させても、装置騒音が一定に保たれる。
【００３６】
図１３に示すグラフは、調光動作中のランプ出力の変化に対する各ファンの騒音と装置騒音を示している。グラフの横軸は経過時間を示しており、２秒ごとに調光レベルが更新されている。ランプ出力の増減に合わせてランプファン２０（図１０）の回転数が増減し、電源ファン３９（図１０）の回転数が減増している。換言すれば、ランプファン２０の回転数が増加すると、電源ファン３９の回転数が減少し、ランプファン２０の回転数が減少すると、電源ファン３９の回転数が増加し、装置騒音は一定に保たれている。
【００３７】
図１４に示すグラフは、従来のファン制御の結果を示している。従来のファン制御の下で調光動作が２秒おきに実施された場合、装置騒音が最大で1.1dB変化する。一方、上記のように、本発明のファン制御の下では装置騒音が一定に保たれる。
【００３８】
さらに、本実施形態では、ランプファン２０と同一形式、同一サイズの電源ファン３９によって、ランプファン２０の騒音を相殺する。換言すれば、ランプファン２０の騒音の音質と電源ファン３９の騒音の音質は同一である。また、ランプファン２０と電源ファン３９は、回転数変化の応答性も同一である。従って、ランプファン２０の騒音がより効果的に相殺される。この結果、調光動作の実施間隔をより短くしても装置騒音を一定に保つことができる。具体的には、本実施形態に係る投写型表示装置では、調光動作の実施間隔を１．０秒前後にした場合であっても装置騒音はほぼ一定に保たれる。
【００３９】
本実施形態では、ランプ出力の増減に応じて図１０に示す電源ファン３９の回転数を増減させたが、電源ファン３９と排気ファン２１の双方の回転数を増減させてもよい。
【００４０】
電源ファン３９と排気ファン２１の双方の回転数を増減させる場合に、図１０に示す記憶部３６に記憶されるデータテーブルを図１５Ａに示す。
【００４１】
図１０に示す中央制御部３０は、算出された調光レベルに基づいて図１５Ａに示すデータテーブルを参照し、参照結果に基づいてランプファン制御部３４、排気ファン制御部３５、電源ファン制御部３９及びランプ制御部３７にそれぞれコマンドを出力する。各制御部は、入力されたコマンドに応じて制御対象を制御する。
【００４２】
例えば、算出された調光レベルがL01の場合、ランプ制御部３７は、中央制御部３０の指令に従って、ランプ出力が180Wとなるように電源ユニット１０内のバラスト電源（不図示）を制御する。ランプファン制御部３４は、中央制御部３０の指令に従って、ランプファン２０の回転数を5400rpmに維持する。排気ファン制御部３５は、中央制御部３０の指令に従って、排気ファン２１の回転数を2300rpmに維持する。電源ファン制御部３８は、中央制御部３０の指令に従って、電源ファン３９の回転数を4800rpmに維持する。
【００４３】
また、算出された調光レベルがL11の場合、ランプ制御部３７は、中央制御部３０の指令に従って、ランプ出力が160Wとなるように上記バラスト電源を制御する。ランプファン制御部３４は、中央制御部３０の指令に従って、ランプファン２０の回転数を4500rpmに維持する。排気ファン制御部３５は、中央制御部３０の指令に従って、排気ファン２１の回転数を2436rpmに維持する。電源ファン制御部３８は、中央制御部３０の指令に従って、電源ファン３９の回転数を5084rpmに維持する。
【００４４】
図１５Ｂに、調光レベル毎のランプ出力、ランプファン２０の回転数及び騒音、排気ファン２１の回転数及び騒音、電源ファン３９の回転数及び騒音、及び装置全体の騒音（装置騒音）を示す。なお、装置騒音は、装置の後方１ｍの位置で測定された騒音である。上記のように、調光レベルに応じて、ランプ出力及び各ファン２０、２１、３９の回転数は変化するが、装置騒音は一定(34.7dB(A))に保たれる。
【００４５】
図１６に示すグラフは、ランプ出力に対する各ファンの騒音と装置騒音の関係を示している。図１０に示すランプファン２０の回転数はランプ出力の増加に伴って増加するので（図１５）、ランプ出力が増加すると、ランプファン２０の騒音も増加する。一方、図１０に示す電源ファン３９及び排気ファン２１の回転数はランプ出力の増加に伴って減少するので（図１５）、ランプ出力が増加すると電源ファン３９及び排気ファン２１の騒音は減少する。この結果、ランプ出力が増減しても装置騒音は一定に保たれる。換言すれば、ランプファン２０の騒音の増加と電源ファン３９及び排気ファン２１の騒音の減少とが相殺される。このように、ランプ１２（発光管１２ａ（図４））の温度を一定に保つために、ランプ出力の増加に伴ってランプファン２０の回転数を増加させても、装置騒音が一定に保たれる。
【００４６】
図１７に示すグラフは、調光動作中のランプ出力の変化に対する各ファンの騒音と装置騒音を示している。グラフの横軸は経過時間を示しており、２秒ごとに調光レベルが更新されている。ランプ出力の増減に合わせてランプファン２０（図１０）の回転数が増減し、電源ファン３９及び排気ファン２１（図１０）の回転数が減増している。換言すれば、ランプファン２０の回転数が増加すると、電源ファン３９及び排気ファン２１の回転数が減少し、ランプファン２０の回転数が減少すると、電源ファン３９及び排気ファン２１の回転数が増加し、装置騒音は一定に保たれている。
【００４７】
上記のように、電源ファン３９及び排気ファン２１の回転数を同時に増減させると、各ファン回転数変化は小さくなる。よって、調光動作の実施間隔を約０．５秒まで短くしても装置騒音がほぼ一定に保たれる。
【００４８】
本明細書では、ランプファンの回転数の増減に伴って排気ファンと電源ファンの少なくとも一方の回転数が増減される実施形態について説明した。しかし、排気ファン及び電源ファン以外のファンが設けられる場合、このファンの回転数をランプファンの回転数の増減に伴って増減させてもよい。
【符号の説明】
【００４９】
１  投写型表示装置
９  メイン基板
１０  電源ユニット
１１  ランプユニット
１２  ランプ
１２ａ  発光管
１３  光学エンジン
１４  DMDユニット
２０  ランプファン
２１  排気ファン
３０  中央制御部
３１  映像信号生成部
３２  DMD制御部
３３  調光レベル算出部
３４  ランプファン制御部
３５  排気ファン制御部
３６  記憶部
３７  ランプ制御部
３８  電源ファン制御部
３９  電源ファン
【図１】
2011064832.tif 000003
【図２】
2011064832.tif 000004
【図３】
2011064832.tif 000005
【図４】
2011064832.tif 000006
【図５】
2011064832.tif 000007
【図６Ａ】
2011064832.tif 000008
【図６Ｂ】
2011064832.tif 000009
【図７】
2011064832.tif 000010
【図８】
2011064832.tif 000011
【図９】
2011064832.tif 000012
【図１０】
2011064832.tif 000013
【図１１Ａ】
2011064832.tif 000014
【図１１Ｂ】
2011064832.tif 000015
【図１２】
2011064832.tif 000016
【図１３】
2011064832.tif 000017
【図１４】
2011064832.tif 000018
【図１５Ａ】
2011064832.tif 000019
【図１５Ｂ】
2011064832.tif 000020
【図１６】
2011064832.tif 000021
【図１７】
2011064832.tif 000022
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
映像信号に基づいて変調された光を投写する投写型表示装置であって、
光源と、前記光源を冷却するための第１のファンと、前記第１のファンとは異なる第２のファンとを有し、
前記第１のファンの回転数は、前記光源の出力の増減に伴って増減され、
前記第２のファンの回転数は、前記第１のファンの回転数が増加すると減少され、前記第１のファンの回転数が減少すると増加される投写型表示装置。
【請求項２】
映像信号に基づいて変調された光を投写する投写型表示装置であって、
光源と、前記光源を冷却するための第１のファンと、前記第１のファンとは異なる第２のファンと、前記第１のファン及び前記第２のファンとは異なる第３のファンとを有し、
前記第１のファンの回転数は、前記光源の出力の増減に伴って増減され、
前記第３のファンの回転数は、前記第１のファンの回転数が増加すると減少され、前記第１のファンの回転数が減少すると増加され、
前記第２のファンの回転数は、常に一定に保たれる投写型表示装置。
【請求項３】
映像信号に基づいて変調された光を投写する投写型表示装置であって、
光源と、前記光源を冷却するための第１のファンと、前記第１のファンとは異なる第２のファンと、前記第１のファン及び前記第２のファンとは異なる第３のファンとを有し、
前記第１のファンの回転数は、前記光源の出力の増減に伴って増減され、
前記第２のファンの回転数及び前記第３のファンの回転数は、前記第１のファンの回転数が増加すると減少され、前記第１のファンの回転数が減少すると増加される投写型表示装置。
【請求項４】
前記第２のファンが筺体内の空気を筺体外に排出するためのファンであり、
前記第３のファンが電源ユニットを冷却するためのファンである請求項２又は請求項３に記載の投写型表示装置。
【請求項５】
前記映像信号に基づいて前記光源の調光レベルを算出する調光レベル算出部を有し、前記光源の出力は、前記調光レベル算出部により算出された調光レベルに基づいて増減される請求項２乃至請求項４のいずれかに記載の投写型表示装置。
【請求項６】
前記調光レベル算出部により算出される複数の調光レベルと、前記光源の出力、前記第１のファンの回転数及び前記第２のファンの回転数との関係を示すデータが記憶された記憶部と、
前記データに基づいて前記光源の出力を制御する光源制御部と、
前記データに基づいて前記第１のファンの回転数を制御する第１のファン制御部と、
前記データに基づいて前記第２のファンの回転数を制御する第２のファン制御部と、を有する請求項５に記載の投写型表示装置。
【請求項７】
前記記憶部に記憶された前記データに基づいて前記第３のファンの回転数を制御する第３のファン制御部を有する請求項６に記載の投写型表示装置。
【請求項８】
前記第１のファンがシロッコファンであり、前記第２のファンが軸流ファンである請求項１乃至請求項７のいずれかに記載の投写型表示装置。
【請求項９】
前記第１のファンがシロッコファンであり、前記第３のファンが前記第１のファンと同一形式・同一サイズのシロッコファンである請求項２乃至請求項８のいずれかに記載の投写型表示装置。
【国際調査報告】
2011064832.tif 000023
2011064832.tif 000024
2011064832.tif 000025
2011064832.tif 000026